(57)【要約】      （修正有）【課題】パーツが連動して組み立てられる構成を採用することにより、従来の組立式陳列台では成し得なかった素早さで、簡単で、かつ間違えることなく確実に組み立てることができる組立式陳列台を提供する。【解決手段】階段状のひな壇部１と、ひな壇部の左右両側に配置される側面片２３とを備えた組立式陳列台であって、ひな壇部は、前後方向に折り畳み自在に形成され、側面片は、前後方向の中間部に形成された折り曲げ線により前後方向に折り曲げ自在に形成され、側面片の前端をひな壇部の前端に折り曲げ線を介して連結し、側面片の後端をひな壇部の後端に折り曲げ線を介して連結し、側面片を、折り曲げ線が外方に移動するように折り曲げることにより、ひな壇部が折り畳まれ、側面片を、折り曲げ線が内側に移動するように展開することにより、ひな壇部が組み立てられるように構成されている。【選択図】図１
0003174589.tif 000002
【実用新案登録請求の範囲】
【請求項１】
階段状のひな壇部と、前記ひな壇部の左右両側に配置される側面片とを備えた組立式陳列台であって、
前記ひな壇部は、前後方向に折り畳み自在に形成され、
前記側面片は、前後方向の中間部に形成された折り曲げ線により前後方向に折り曲げ自在に形成され、
前記側面片の前端を前記ひな壇部の前端に折り曲げ線を介して連結し、前記側面片の後端を前記ひな壇部の後端に折り曲げ線を介して連結し、
前記側面片を、前記折り曲げ線が外方に移動するように折り曲げることにより、前記ひな壇部が折り畳まれ、
前記側面片を、前記折り曲げ線が内側に移動するように展開することにより、前記ひな壇部が組み立てられるように構成されていることを特徴とする組立式陳列台。
【請求項２】
前記側面片の下端から折り曲げ線を介して糊付片が連設され、
展開した状態の前記側面片の前記糊付片の内側に折り曲げて前記ひな壇部の底面に接着することにより、前記ひな壇部の組み立て状態を保持するように構成されていることを特徴とする請求項１に記載の組立式陳列台。
【請求項３】
前記側面片と前面片と後面片とで構成されて前記ひな壇部を囲む枠体を備えており、
前記側面片と前記前面片と折り曲げ線を介して連結し、前記側面片と前記前面片と折り曲げ線を介して連結していることを特徴とする請求項１または請求項２に記載の組立式陳列台。
【請求項４】
前記ひな壇部の前後方向の中間部に折り曲げ線が形成されて、前記折り曲げ線が下方に移動するように前記ひな壇部が折り畳まれるように構成され、
前記ひな壇部の前記折り曲げ線と前記側面片の前記折り曲げ線とは、前後方向において同位置になるように構成されていることを特徴とする請求項１ないし請求項３に記載の組立式陳列台。
【請求項５】
前記ひな壇部は、上面片と正面片とを折り曲げ線を介して連設して構成されていることを特徴とする請求項１ないし請求項４に記載の組立式陳列台。
【考案の詳細な説明】
【技術分野】
【０００１】
本考案は、主として、店頭における商品の陳列に使用される組立式陳列台に関する。
【背景技術】
【０００２】
この種の組立式陳列台は、一般に、ひな壇と、ひな壇を囲む枠体とを備えており、図５に示すような組立式陳列台が知られている。
【０００３】
図５（ｂ）に示すように、組立式陳列台のひな壇１Ａは、上面片１１Ａ、正面片１２Ａ、側面片１３Ａ、底面片１４Ａを折り曲げ線で折り曲げて階段状に組み立てられる。また、図５（ａ）に示すように、組立式陳列台の枠体２Ａは、前面片２１Ａ、前内面片２２Ａ、側面片２３Ａ、側内面片２４Ａ、後面片２５Ａ、後内面片２６Ａ、底面片２７Ａを折り曲げ線で折り曲げて組み立てられる。
【０００４】
そして、図５（ｃ）に示すように、ひな壇１Ａを枠体２Ａ内にセットすることにより、組立式陳列台が組み立てられるようになっていた。
【０００５】
このように従来の組立式陳列台は、パーツが別々である上、個々のパーツを組み立てるのに長い時間を必要としていた。また、誤った形態に組み立てられることもあるため、やり直しが発生し、やり直す度に組立式陳列台が傷むという問題があった。さらに、組み立て前の状態が複雑な形態であるため、折り畳んだ状態での販売を促進できないという問題があった。
【０００６】
そこで、特許文献１に示すような組立式陳列台が提案されていた。この組立式陳列台は、底面片に対し後面片を折り曲げ線を境として引き起こし可能とすると共に、引き起し状態で固定する手段を備えた板状の本体と、階段状に折曲されるための折り曲げ線を付した階段状のひな壇からなり、展開状態の本体の後面片及び底面片に、展開状態のひな壇の上下をそれぞれ連結することにより、本体の後面片を引き起した際にひな壇が階段状に折曲されて引き起こされるように構成されている。
【先行技術文献】
【特許文献】
【０００７】
【特許文献１】特開２０００−１０３４２５号公報
【考案の概要】
【考案が解決しようとする課題】
【０００８】
しかし、かかる従来の組立式陳列台であっても、各パーツを組み立てて連結する作業が必要であるため、より一層組み立てが容易な組立式陳列台が求められていた。
【０００９】
そこで、本願考案が解決しようとする第１の課題は、各パーツが連動して組み立てられる構成を採用することにより、従来の組立式陳列台では成し得なかった素早さで、簡単で、かつ間違えることなく確実に組み立てることができる組立式陳列台を提供することである。
【００１０】
本願考案が解決しようとする第２の課題は、展開した状態もシンプルで容易に組み立てられることを連想させる構成を採用することにより、販売を促進することができる組立式陳列台を提供することである。
【課題を解決するための手段】
【００１１】
本願考案者は、上記のように、従来技術が有する各種の問題点に鑑み、鋭意検討を重ねて組立式陳列台を完成させたものである。
＊＊＊＊＊＊＊＊＊＊＊＊＊＊＊＊＊＊＊＊＊＊＊＊＊＊＊＊＊＊＊＊＊＊＊＊＊＊＊＊
本願の明細書、実用新案登録請求の範囲等に記載の用語についての解釈上の疑義を解消すべく、以下本願明細書、実用新案登録請求の範囲等に記載する用語の説明を行うこととする。
＜用語の説明＞
●「陳列台」とは、目薬、薬品、日用品、電気用品などの種々の商品を陳列するために用いられる。
●「ひな壇部」とは、階段状に形成されて、その上に商品が陳列されるパーツである。
●「枠体」とは、ひな壇部の周囲を囲んで商品を保護するパーツである。
＊＊＊＊＊＊＊＊＊＊＊＊＊＊＊＊＊＊＊＊＊＊＊＊＊＊＊＊＊＊＊＊＊＊＊＊＊＊＊＊
【００１２】
課題を解決するための手段（第１考案〜第５考案）は、本願、実用新案登録請求の範囲の各請求項に記載の考案であり、具体的には、第１考案は、請求項１に記載の考案であり、第２考案は、請求項２に記載の考案であり、第３考案は、請求項３に記載の考案であり、第４考案は、請求項４に記載の考案であり、第５考案は、請求項５に記載の考案である。
具体的な課題を解決するための手段は、以下の通りである。
【００１３】
請求項１に記載の考案は、
階段状のひな壇部と、前記ひな壇部の左右両側に配置される側面片とを備えた組立式陳列台であって、
前記ひな壇部は、前後方向に折り畳み自在に形成され、
前記側面片は、前後方向の中間部に形成された折り曲げ線により前後方向に折り曲げ自在に形成され、
前記側面片の前端を前記ひな壇部の前端に折り曲げ線を介して連結し、前記側面片の後端を前記ひな壇部の後端に折り曲げ線を介して連結し、
前記側面片を、前記折り曲げ線が外方に移動するように折り曲げることにより、前記ひな壇部が折り畳まれ、
前記側面片を、前記折り曲げ線が内側に移動するように展開することにより、前記ひな壇部が組み立てられるように構成されていることを特徴とする組立式陳列台である。
【００１４】
請求項２に記載の考案は、
前記側面片の下端から折り曲げ線を介して糊付片が連設され、
展開した状態の前記側面片の前記糊付片の内側に折り曲げて前記ひな壇部の底面に接着することにより、前記ひな壇部の組み立て状態を保持するように構成されていることを特徴とする請求項１に記載の組立式陳列台である。
【００１５】
請求項３に記載の考案は、
前記側面片と前面片と後面片とで構成されて前記ひな壇部を囲む枠体を備えており、
前記側面片と前記前面片と折り曲げ線を介して連結し、前記側面片と前記前面片と折り曲げ線を介して連結していることを特徴とする請求項１または請求項２に記載の組立式陳列台である。
【００１６】
請求項４に記載の考案は、
前記ひな壇部の前後方向の中間部に折り曲げ線が形成されて、前記折り曲げ線が下方に移動するように前記ひな壇部が折り畳まれるように構成され、
前記ひな壇部の前記折り曲げ線と前記側面片の前記折り曲げ線とは、前後方向において同位置になるように構成されていることを特徴とする請求項１ないし請求項３に記載の組立式陳列台である。
【００１７】
請求項４に記載の考案は、
前記ひな壇部は、上面片と正面片とを折り曲げ線を介して連設して構成されていることを特徴とする請求項１ないし請求項４に記載の組立式陳列台である。
【考案の効果】
【００１８】
本願考案に係る、組立式陳列台は、上記のような特徴的構成要件から構成され、特徴的構成要件に応じた、以下のような本願考案特有の効果を奏する。また、上記のような特徴的構成要件から構成された組立式陳列台によれば、本願考案の課題を十分解消することができた。
すなわち、第１の考案によれば、
「階段状のひな壇部と、前記ひな壇部の左右両側に配置される側面片とを備えた組立式陳列台であって、
前記ひな壇部は、前後方向に折り畳み自在に形成され、
前記側面片は、前後方向の中間部に形成された折り曲げ線により前後方向に折り曲げ自在に形成され、
前記側面片の前端を前記ひな壇部の前端に折り曲げ線を介して連結し、前記側面片の後端を前記ひな壇部の後端に折り曲げ線を介して連結し、
前記側面片を、前記折り曲げ線が外方に移動するように折り曲げることにより、前記ひな壇部が折り畳まれ、
前記側面片を、前記折り曲げ線が内側に移動するように展開することにより、前記ひな壇部が組み立てられるように構成されている」という特徴的構成要件により、
また、第２の考案によれば、
「前記側面片の下端から折り曲げ線を介して糊付片が連設され、
展開した状態の前記側面片の前記糊付片の内側に折り曲げて前記ひな壇部の底面に接着することにより、前記ひな壇部の組み立て状態を保持するように構成されている」という特徴的構成要件により、
各パーツが連動して組み立てられる構成を採用することにより、従来の組立式陳列台では成し得なかった素早さで、簡単で、かつ間違えることなく確実に組み立てることができる組立式陳列台を提供するという、第１の課題を解決することができた。
【００１９】
また、第３の考案によれば、
「前記側面片と前面片と後面片とで構成されて、前記ひな壇部を囲む枠体を備えており、
前記側面片と前記前面片と折り曲げ線を介して連結し、前記側面片と前記前面片と折り曲げ線を介して連結している」という特徴的構成要件により、
また、第４の考案によれば、
「前記ひな壇部の前後方向の中間部に折り曲げ線が形成されて、前記折り曲げ線が下方に移動するように前記ひな壇部が折り畳まれるように構成され、
前記ひな壇部の前記折り曲げ線と前記側面片の前記折り曲げ線とは、前後方向において同位置になるように構成されている」という特徴的構成要件により、
また、第５の考案によれば、
「前記ひな壇部は、上面片と正面片とを折り曲げ線を介して連設して構成されている」という特徴的構成要件により、
展開した状態もシンプルで容易に組み立てられることを連想させる構成を採用することにより、販売を促進することができる組立式陳列台を提供するという、第２の課題を解決することができた。
【図面の簡単な説明】
【００２０】
【図１】本考案の実施の形態の組立式陳列台の組立て状態を示す斜視図である。
【図２】本考案の実施の形態の組立式陳列台のひな壇部に示す斜視図である。
【図３】本考案の実施の形態の組立式陳列台の組立て、折り畳みの途中の形態に示す斜視図である。
【図４】本考案の実施の形態の組立式陳列台の折り畳み状態を示す斜視図である。
【図５】従来の組立式陳列台を示す図である。
【考案を実施するための形態】
【００２１】
以下、本考案を実施の形態に基づき図面を参照しつつ説明する。
【００２２】
図１は、本実施の形態の組立式陳列台の組立て状態を示す斜視図である。図２は、本実施の形態の組立式陳列台のひな壇部に示す斜視図である。図３は、本実施の形態の組立式陳列台の組立て、折り畳みの途中の形態に示す斜視図である。
【００２３】
（１）組立式陳列台の全体構成
図１に示すように、組立式陳列台は、組立時に階段状に形成されるひな壇部１と、組立時にひな壇部１を囲むように配置される枠体２とが備わっており、枠体２の展開および折り畳みと、ひな壇部１の組立ておよび折り畳みとが連動するように構成されている
なお、組立式陳列台の材質としては、板ボール単紙、厚紙などのシート材が好ましく用いられる。
【００２４】
（２）ひな壇部の構成
ひな壇部１は、上面片１１、正面片１２、底面片１４および支持片１５を備えている。上面片１１および正面片１２により２段の階段が形成されるようになっている。
上面片１１および正面片１２、上面片１１および支持片１５、底面片１４および支持片１５は、それぞれ折り曲げ線Ｂを介して連結されている。
【００２５】
ひな壇部１の第１段目の正面片１２および底面片１４には折り曲げ線Ｂ１が形成されている。これにより、ひな壇部１は折り曲げ線Ｂ１が下方に移動するように２つ折りに折り畳まれるように構成されている（図３参照）。
なお、１６は陳列用の立ち上がり片であり、１７立ち上がり片１６の打ち抜き穴である。
【００２６】
（３）枠体の構成
枠体２は、左右一対の側面片２３、前面片２１および後面片２５を備えている。側面片２３は、前後方向の中間部に形成された折り曲げ線Ｂ２により２つ折りに折り曲げられるように構成され、側面片２３の前端および前面片２１の側端、側面片２３の後端および後面片２５の側端は、それぞれ折り曲げ線Ｂを介して連結されている。
【００２７】
側面片２３の上端縁は前傾するように形成されており、側面片２３の下端から折り曲げ線を介して糊付片２８が連設されている。糊付片２８には粘着層が形成されており、離型紙（図示省略）は剥がすことにより粘着層が露出するようになっている。
【００２８】
また、糊付片２８には側面片２３の折り曲げ線Ｂ２と連続する図外の折り曲げ線が形成されて２つ折りが可能になっている。なお、説明の便宜上、図面中の糊付片２８を２点鎖線で示している。
【００２９】
（４）ひな壇部と枠体との関係
枠体２の前面片２１およびひな壇部１の底面片１４の前端、枠体２の後面片２５とひな壇部１の２段目の上面片１１の後端は、それぞれ折り曲げ線Ｂを介して連結されており、ひな壇部１の折り曲げ線Ｂ１と、枠体２の側面片２３の折り曲げ線Ｂ２とは、前後方向において同位置に位置するように設定されている。
なお、ひな壇部１および枠体２は厚紙を打ち抜いて形成されており、ひな壇部１の各片の端部から折り曲げ線Ｂを介して連設される図外の糊付片により枠体２に連結されている。
【００３０】
（５）組立式陳列台の動作の説明
以上のように構成される組立式陳列台は、図１に示すように組み立てられた状態から、図３に示すように、枠体２の側面片２３を、折り曲げ線Ｂ２が外側に移動するように折り曲げることにより、ひな壇部１が折り畳まれる。
【００３１】
そして、さらに、枠体２の側面片２３を外側に移動するように折り曲げると共に、ひな壇部１を折り畳むことにより、図４に示すように、組立式陳列台を略扁平にすることができる。
【００３２】
一方、組立式陳列台を組み立てる場合には、上記とは逆の動作を行う。そして、図１に示すように、完全に展開した状態では、糊付片２８の型紙（図示省略）を剥がして前記粘着層が露出させた後、側面片２３の糊付片２８の内側に折り曲げてひな壇部１の底面片１４に接着して組み立て状態を保持する。
【００３３】
（６）本実施の形態の効果
このように構成される本実施の形態の組立式陳列台は、ひな壇部１および枠体２が連動して組み立てられるように構成されているため、従来の組立式陳列台では成し得なかった素早さで、簡単で、かつ間違えることなく確実に組み立てることができる。
【００３４】
また、図４に示すように、展開した状態もシンプルで容易に組み立てられることが連想され、販売を促進することができる。
【００３５】
以上、本考案を実施の形態に基づいて説明したが、本考案と均等の範囲内において、変更することができる。
【符号の説明】
【００３６】
１、１Ａ          ひな壇部
１１、１１Ａ      上面片
１２、１２Ａ      正面片
１３Ａ            側面片
１４、１４Ａ      底面片
１５              支持片
１６              立ち上がり片
１７              打ち抜き穴
２、２Ａ          枠体
２１              前面片
２２Ａ            前内面片
２３              側面片
２４Ａ            側内面片
２５、２５Ａ      後面片
２６Ａ            後内面片
２７Ａ            底面片
２８              糊付片
Ｂ、Ｂ１、Ｂ２    折り曲げ線
【図１】
0003174589.tif 000003
【図２】
0003174589.tif 000004
【図３】
0003174589.tif 000005
【図４】
0003174589.tif 000006
【図５】
0003174589.tif 000007